(57)【要約】【課題】各種設定の操作の容易化を図ることが可能な計量装置を提供する。【解決手段】被計量物が載置される計量皿３０と、前記計量皿３０に加わる荷重を検出するロードセル１４と、入力操作可能な入力部１５と、前記ロードセル１４によって検出された荷重、及び前記入力部１５によって入力された情報を取得可能なＣＰＵ３３と、を具備する計量装置１であって、前記ＣＰＵ３３は、電源がオンされた後に、前記入力部１５によって数値が入力される第一操作と、前記第一操作の後に行われる前記第一操作とは異なる第二操作と、が行われた場合、前記第一操作及び前記第二操作に基づいて設定を行う。【選択図】図７
2019066341.tif 000002
【特許請求の範囲】
【請求項１】
被計量物が載置される載置部と、
前記載置部に加わる荷重を検出する荷重検出手段と、
入力操作可能な入力部と、
前記荷重検出手段によって検出された荷重、及び前記入力部によって入力された情報を取得可能な制御手段と、
を具備する計量装置であって、
前記制御手段は、
電源がオンされた後に、
前記入力部によって数値が入力される第一操作と、
前記第一操作の後に行われる前記第一操作とは異なる第二操作と、
が行われた場合、
前記第一操作及び前記第二操作に基づいて設定を行う、
計量装置。
【請求項２】
前記第二操作には、
複数種類の操作が含まれ、
前記制御手段は、
前記第一操作において入力された数値を、前記第二操作において行われた操作の種類に応じた機能に用いる値として設定する、
請求項１に記載の計量装置。
【請求項３】
前記第二操作には、
前記載置部に荷重を加える操作が含まれる、
請求項１又は請求項２に記載の計量装置。
【請求項４】
前記設定には、
前記第一操作において入力された数値を前記被計量物の目標重量の下限値として設定する下限値設定が含まれる、
請求項１から請求項３までのいずれか一項に記載の計量装置。
【請求項５】
前記設定には、
前記第一操作において入力された数値を前記被計量物の目標重量の上限値として設定する上限値設定が含まれる、
請求項１から請求項４までのいずれか一項に記載の計量装置。
【請求項６】
前記設定には、
前記第一操作において入力された数値を包袋引きの値として設定する包袋引き設定が含まれる、
請求項１から請求項５までのいずれか一項に記載の計量装置。
【請求項７】
前記設定には、
前記第一操作において入力された数値に基づいて予め登録された情報を呼び出す呼び出し設定が含まれる、
請求項１から請求項６までのいずれか一項に記載の計量装置。
【請求項８】
前記被計量物の重量に関する情報を表示可能な表示部と、
光を照射可能な照射手段と、
前記照射手段により照射される光を、前記表示部の一部分にのみ案内する導光部材と、
をさらに具備する、
請求項１から請求項７までのいずれか一項に記載の計量装置。
【請求項９】
前記導光部材は、
制御基板に対して前記表示部を固定する固定部材により形成される、
請求項８に記載の計量装置。
【請求項１０】
前記導光部材は、
切り欠き部が形成された板状に形成され、前記切り欠き部によって、前記照射手段により照射される光を案内する、
請求項９に記載の計量装置。
【請求項１１】
前記制御基板は、
前記照射手段により照射される光を前記表示部に向けて反射させる反射部を具備する、
請求項９又は請求項１０に記載の計量装置。
【請求項１２】
前記導光部材により案内される光を拡散させる拡散部材をさらに具備する、
請求項８から請求項１１までのいずれか一項に記載の計量装置。
【発明の詳細な説明】
【技術分野】
【０００１】
本発明は、載置部に載置された被計量物の重量を計量する計量装置の技術に関する。
【背景技術】
【０００２】
従来、載置部に載置された被計量物の重量を計量する計量装置の技術は公知となっている。例えば、特許文献１に記載の如くである。
【０００３】
特許文献１に記載の計量装置は、被計量物が載置される計量皿（載置部）と、当該計量皿に加わる荷重を検出するロードセル等が内包された本体部と、を具備する。また、本体部の前面には表示部やキースイッチ（入力部）が設けられる。
【０００４】
このような計量装置において、利用者は入力部を押圧して操作することにより、ゼロ点の調整、被計量物の目標重量（上下限値）の設定、風袋引きの設定等の各種操作を行うことができる。
【先行技術文献】
【特許文献】
【０００５】
【特許文献１】特開２０１２−１２５６７６号公報
【発明の概要】
【発明が解決しようとする課題】
【０００６】
しかしながら、このように各種設定を行う計量装置においては、その操作が複雑となり易い点で改善の余地があった。
【０００７】
本発明は、上記課題を解決するため、各種設定の操作の容易化を図ることが可能な計量装置を提供することを目的とする。
【課題を解決するための手段】
【０００８】
上記目的を達成するために、本発明の一態様に係る計量装置は、被計量物が載置される載置部と、前記載置部に加わる荷重を検出する荷重検出手段と、入力操作可能な入力部と、前記荷重検出手段によって検出された荷重、及び前記入力部によって入力された情報を取得可能な制御手段と、を具備する計量装置であって、前記制御手段は、電源がオンされた後に、前記入力部によって数値が入力される第一操作と、前記第一操作の後に行われる前記第一操作とは異なる第二操作と、が行われた場合、前記第一操作及び前記第二操作に基づいて設定を行う。
【発明の効果】
【０００９】
本発明によると、各種設定の操作の容易化を図ることができる。
【図面の簡単な説明】
【００１０】
【図１】本発明の一実施形態に係る計量装置を示した斜視図。
【図２】同じく、側面断面図。
【図３】表示部及び入力部を示した図。
【図４】表示部、制御基板等の取付構造を示した分解斜視図。
【図５】表示部、制御基板等の取付構造を示した側面断面概略図。
【図６】計量装置の制御に関する構成を示したブロック図。
【図７】計量装置の設定操作を示した遷移図。
【発明を実施するための形態】
【００１１】
以下では、図中に示した矢印に従って、前後方向、上下方向及び左右方向をそれぞれ定義する。
【００１２】
まず、図１から図５までを用いて、本発明の一実施形態に係る計量装置１の構成について説明する。
【００１３】
計量装置１は、被計量物の重量を計量するものである。計量装置１は、主として本体部１０及び計量皿３０を具備する。
【００１４】
図１及び図２に示す本体部１０は、計量装置１の主たる構造体となるものである。本体部１０は、主として筐体１１、乾電池１２、ロードセル１４、入力部１５、表示部１６、制御基板１７、ＬＥＤ１８、固定部材１９、拡散部材２０及び後方表示部２１を具備する。
【００１５】
筐体１１は、略箱状に形成される部材である。筐体１１の前面は、後上方から前下方に向けて傾斜するように形成される。
【００１６】
図２に示す乾電池１２は、計量装置１の電源となるものである。乾電池１２は、筐体１１内の前部に配置される。乾電池１２は、筐体１１の下部（底面）から交換可能となるように構成される。
【００１７】
ロードセル１４は、本発明に係る荷重検出手段の一実施形態であり、荷重を検出するセンサである。ロードセル１４は、主として起歪体１４ａ及び受け部１４ｂを具備する。
【００１８】
起歪体１４ａは、外力によってひずみを発生させるための部材である。起歪体１４ａは、長手方向を前後方向に向けた略直方体状に形成されると共に、その前後中途部は中空状に形成される。起歪体１４ａは、筐体１１内の後部に配置され、当該起歪体１４ａの後端下部が筐体１１に固定される。起歪体１４ａには、当該起歪体１４ａのひずみを検出するための歪ゲージ（不図示）が適宜設けられる。
【００１９】
受け部１４ｂは、起歪体１４ａの前端上部に固定される部分である。受け部１４ｂは、起歪体１４ａから上方に向けて突設される。受け部１４ｂの上端部は、筐体１１の上面に形成された開口部を介して、当該筐体１１の外部（上方）まで延設される。
【００２０】
このように構成されたロードセル１４において、受け部１４ｂに荷重が加わることによって生じた起歪体１４ａのひずみを、前記歪ゲージによって検出することで、当該荷重を検出することができる。
【００２１】
図１及び図３に示す入力部１５は、計量装置１に関する各種の入力操作を行うための操作手段である。入力部１５は、筐体１１の前面に配置される。入力部１５は、主として電源キー１５ａ、品種キー１５ｂ、テンキー１５ｃ、風袋引きキー１５ｄ及び零点リセットキー１５ｅを具備する。
【００２２】
電源キー１５ａは、計量装置１の電源のオンとオフを切り替える際に使用されるものである。電源キー１５ａは、筐体１１の前面の左端部近傍に配置される。
【００２３】
品種キー１５ｂは、計量装置１に登録されている品種に関する設定を行う際に使用されるものである。品種キー１５ｂは、筐体１１の前面の左端部近傍（電源キー１５ａの右隣）に配置される。
【００２４】
テンキー１５ｃは、計量装置１に任意の数値を入力する際に使用されるものである。テンキー１５ｃは、筐体１１の前面の右端部近傍に配置される。
【００２５】
風袋引きキー１５ｄは、風袋引きの設定を行う際に使用されるものである。具体的には、被計量物を入れる容器を計量皿３０に載せた状態で風袋引きキー１５ｄを操作すると、当該容器の重量が風袋引きの値として設定される。当該風袋引きの値が設定されると、それ以降に計量皿３０に載置される物の重量から、風袋引きの値（すなわち、容器の重量）を差し引いた値を、計量することができるようになる。風袋引きキー１５ｄは、筐体１１の前面の下部に配置される。
【００２６】
零点リセットキー１５ｅは、零点をリセットする際に使用されるものである。具体的には、零点リセットキー１５ｅを操作すると、その時点で計量装置１で計量されている重量を０とすることができる。零点リセットキー１５ｅは、筐体１１の前面の下部に配置される。
【００２７】
図１から図５までに示す表示部１６は、計量装置１に関する各種の情報を表示するものである。表示部１６は、光を透過することができる液晶ディスプレイ（透過型又は半透過型液晶ディスプレイ等）により構成される。表示部１６は、長手方向を左右に向けた略矩形板状に形成される。表示部１６は、筐体１１内の前部（当該筐体１１の前面のすぐ背後）に配置される。筐体１１の前面には、表示部１６と対応する開口部が形成される。当該開口部を介して、筐体１１の前方から表示部１６を視認することができる。
【００２８】
図２、図４及び図５に示す制御基板１７は、計量装置１に関する各種の演算や記憶等の制御を行うためのものである。制御基板１７には、後述するＣＰＵ３３やメモリ３４等が配置される。制御基板１７は、筐体１１内の前部（当該筐体１１の前面のすぐ背後）に配置される。制御基板１７には、反射部１７ａが形成される。
【００２９】
図４及び図５に示す反射部１７ａは、光を反射することができる部位である。反射部１７ａは、制御基板１７の前面の下部に形成される。反射部１７ａは、制御基板１７の銅箔を略矩形状に露出させることで形成される。
【００３０】
ＬＥＤ１８は、発光することで光を照射可能なものである。ＬＥＤ１８は、制御基板１７のうち、反射部１７ａのすぐ下方に設けられており、制御基板１７の板面と平行な方向を中心とした所定の角度範囲の方向に光を出射する。より詳しくは、ＬＥＤ１８は、制御基板１７の板面と平行な方向を含み、かつ、反射部１７ａが形成されている方向（後上方）に向かう方向を含む角度範囲の方向に光を出射する。この種のＬＥＤ１８は、例えば、側面発光チップＬＥＤを用いて構成することができる。
【００３１】
固定部材（導光部材）１９は、表示部１６を制御基板１７に対して固定するためのものである。固定部材１９は、略矩形板状のスポンジテープ（スポンジの両面に両面テープを設けたもの）により構成される。固定部材１９の外形は、表示部１６の外形（矩形）と略同一形状となるように形成される。固定部材１９には、切り欠き部１９ａが形成される。
【００３２】
切り欠き部１９ａは、固定部材１９を略矩形状に切り欠くことで形成される。切り欠き部１９ａは、制御基板１７の反射部１７ａと対応する位置に形成される。より具体的には、切り欠き部１９ａは、固定部材１９の前下端部の左右中央に形成される。
【００３３】
拡散部材２０は、光を拡散させることで、当該光のムラを解消することが可能なものである。拡散部材２０は、切り欠き部１９ａよりも一回り大きな略矩形板状に形成される。
【００３４】
固定部材１９は、切り欠き部１９ａと反射部１７ａの位置を合わせた状態で、制御基板１７の前面に固定（接着）される。また、当該固定部材１９の前面には、切り欠き部１９ａを前方から覆うように拡散部材２０が固定（接着）される。さらに、当該固定部材１９の前面には、表示部１６の背面が固定（接着）される。このようにして、固定部材１９を介して、表示部１６、制御基板１７及び拡散部材２０が互いに固定される。
【００３５】
図２に示す後方表示部２１は、計量装置１に関する各種の情報を表示するものである。後方表示部２１は、液晶ディスプレイにより構成される。後方表示部２１は、筐体１１内の後部（当該筐体１１の後面のすぐ前方）に配置される。筐体１１の後面には、後方表示部２１と対応する開口部が形成される。当該開口部を介して、筐体１１の後方から後方表示部２１を視認することができる。
【００３６】
図１及び図２に示す計量皿３０は、略矩形板状の部材である。計量皿３０は本体部１０の上方に配置される。計量皿３０の下面略中央部は、ロードセル１４の受け部１４ｂの上端部に固定されて支持される。これによって、計量皿３０に載置される被計量物の荷重が、ロードセル１４の受け部１４ｂに加えられることになる。
【００３７】
次に、図５を用いて、ＬＥＤ１８を用いて表示部１６を発光させる際の様子について説明する。
【００３８】
固定部材１９のうち、ＬＥＤ１８からの光が照射される空間は、切り欠き部１９ａによって区画されている。
【００３９】
制御基板１７には、当該切り欠き部１９ａの内側に位置するように反射部１７ａが形成されている。ＬＥＤ１８から照射された光のうち、反射部１７ａに照射された光は、当該反射部１７ａにおいて反射され、切り欠き部１９ａを通じて拡散部材２０へと案内される。このようにして、ＬＥＤ１８から照射された光が、拡散部材２０へと案内される。
【００４０】
拡散部材２０へと案内された光は、当該拡散部材２０の全体に拡散した後、表示部１６へと案内される。このようにして、表示部１６の一部（切り欠き部１９ａに相当する部分）がＬＥＤ１８の光によって発光することになる。
【００４１】
この際、拡散部材２０によって光が拡散されているため、表示部１６を外側から見た際に発光する部分（以下、「発光部Ｌ」と称する）（図３参照）と発光しない部分との境界を、やや不鮮明にすることができる。このように、発光部分の形状をあえて際立たせないようにすることで、当該発光部分の美観を向上させることができる。また、拡散部材２０によって光を拡散させることで、表示部１６を外側から見た際に、光源となるＬＥＤ１８を目立ちにくくすることができ、美観を向上させることができる。
【００４２】
次に、図６を用いて、計量装置１の制御に関する構成について説明する。
【００４３】
計量装置１は、制御に関する構成として、ロードセル１４、増幅回路３１、Ａ／Ｄコンバータ３２、ＣＰＵ３３、メモリ３４、表示部１６、後方表示部２１、ＬＥＤ１８及び入力部１５を具備する。
【００４４】
ロードセル１４からのアナログ信号は、増幅回路３１において増幅された後、Ａ／Ｄコンバータ３２においてデジタル信号へと変換される。当該変換されたデジタル信号は、ＣＰＵ３３に入力される。
【００４５】
ＣＰＵ３３は、メモリ３４に記憶された制御プログラムに従って、受信したデジタル信号からロードセル１４に加えられた荷重（ひいては、計量皿３０に載置された被計量物の重量）を算出する。ＣＰＵ３３は、当該算出された値を表示部１６及び後方表示部２１に表示させることができる。当該表示は所定の時間間隔（利用者が読み取ることができる程度の時間間隔）ごとに更新され、利用者は被計量物の重量を確認することができる。
【００４６】
ＣＰＵ３３は、必要に応じてＬＥＤ１８を発光させることもできる。また、ＣＰＵ３３は、上記被計量物の重量だけでなく、その他各種の情報を表示部１６及び後方表示部２１に表示させることができる。
【００４７】
また、入力部１５からの操作信号はＣＰＵ３３に入力され、ＣＰＵ３３は当該操作信号に基づいて所定の操作（設定等）を行う。
【００４８】
次に、図７を用いて、計量装置１に関する設定を行う方法について説明する。
【００４９】
ここで、本実施形態における被計量物に関する設定とは、下記で例示するように、被計量物の計量に関する値（目標重量の下限値等）の設定を意味する。
【００５０】
計量装置１の電源がオフにされた状態（ステップＳ１０１）において、電源キー１５ａが操作されると、当該計量装置１の電源がオンに切り替えられる（ステップＳ１０２）。
【００５１】
計量装置１の電源がオンに切り替えられると、ＣＰＵ３３は、まず「通常モード」での動作を開始する（ステップＳ１０３）。ここで、「通常モード」とは、計量皿３０に載置された被計量物の重量を測定し、当該重量を表示部１６及び後方表示部２１に表示させる動作モードである。すなわち、「通常モード」では、利用者は、被計量物の重量を計ることができる。
【００５２】
また、電源がオンに切り替えられた後（直後）の「通常モード」においては、入力部１５（特に、テンキー１５ｃ）による入力操作が可能な状態とされる（ステップＳ１０３）。ＣＰＵ３３は、テンキー１５ｃにより数値が入力され（以下では説明の便宜上、テンキー１５ｃにより入力された数値を「入力値」とも称する）、その後所定の操作がなされると、当該操作に応じた各種の設定（ステップＳ１０４〜ステップＳ１０７）を行う。以下、具体的に説明する。
【００５３】
まず、下限値の設定について説明する。
【００５４】
テンキー１５ｃにより数値が入力され（ステップＳ１０３）、その後計量皿３０に物（被計量物等）が載せられた場合、ＣＰＵ３３は、当該入力値を被計量物の目標重量の下限値として設定する（ステップＳ１０４）。
【００５５】
ここで、「目標重量」とは、被計量物の目標となる重量値であり、例えば「１００ｇ以上、１２０ｇ未満」のように、所定の範囲を持つように設定される。ＣＰＵ３３は、当該目標重量の下限値に、テンキー１５ｃにより入力された具体的な数値を設定する。
【００５６】
また、ＣＰＵ３３は、下限値の設定と併せて、設定された下限値に基づく上限値の設定を行うこともできる。ＣＰＵ３３は、例えば下限値に対して予め定められた値（以下、「加算値」と称する）を加えることで、上限値を決定する。当該加算値としては、一定の値（例えば、２０ｇ等）を用いることも可能であるし、下限値に一定の割合を乗じた値（例えば、下限値の１０％等）を用いることも可能である。
【００５７】
また、ＣＰＵ３３は、下限値（及び上限値）が設定されると、「通常モード」から「チェッカモード」へと動作モードを切り替えることもできる。ここで、「チェッカモード」とは、計量皿３０に載置された被計量物の重量が、目標重量であるか（すなわち、下限値以上、かつ上限値未満であるか）否かを判定する動作モードである。
【００５８】
「チェッカモード」において、ＣＰＵ３３は、計量皿３０に載置された被計量物の重量を表示部１６に表示させると共に、当該重量が目標重量である場合、ＬＥＤ１８を発光させて表示部１６の一部（発光部Ｌ）を発光させる。利用者は、当該表示部１６が発光したか否かを確認することで、計量皿３０に載置した被計量物が目標重量であるか否かを容易に確認することができる。この際、被計量物の重量の表示と、発光部Ｌの発光は、いずれも表示部１６において行われる。このため、利用者は視線を大きく変更することなく両者（重量の表示と発光部Ｌの発光）を確認することができる。
【００５９】
このように、下限値（及び上限値）を設定した後、速やかに「チェッカモード」へと動作モードを切り替えることで、当該「チェッカモード」を用いた計量作業を速やかに行うことができる。
【００６０】
次に、上限値の設定について説明する。
【００６１】
テンキー１５ｃにより数値が入力され（ステップＳ１０３）、その後電源キー１５ａが操作された場合、ＣＰＵ３３は、当該入力値を被計量物の目標重量の上限値として設定する（ステップＳ１０５）。
【００６２】
また、ＣＰＵ３３は、上限値の設定と併せて、設定された上限値に基づく下限値の設定を行うこともできる。ＣＰＵ３３は、例えば上限値から予め定められた値（以下、「減算値」と称する）を差し引くことで、下限値を決定する。当該減算値としては、一定の値（例えば、２０ｇ等）を用いることも可能であるし、上限値に一定の割合を乗じた値（例えば、上限値の１０％等）を用いることも可能である。
【００６３】
また、ＣＰＵ３３は、上限値（及び下限値）が設定されると、「通常モード」から「チェッカモード」へと動作モードを切り替えることもできる。
【００６４】
次に、風袋引きの設定について説明する。
【００６５】
テンキー１５ｃにより数値が入力され（ステップＳ１０３）、その後風袋引きキー１５ｄが操作された場合、ＣＰＵ３３は、当該入力値を風袋引きの値として設定する（ステップＳ１０６）。この処理以降、計量皿３０に載置された物の重量から、包袋引きの値を差し引いた値が、表示部１６に表示される。従って、被計量物を入れる容器の重量を風袋引きの値として設定すれば、当該容器ごと被計量物を計量皿３０に載置することで、当該被計量物のみの重量を計量することができる。
【００６６】
次に、登録情報に基づく設定について説明する。
【００６７】
テンキー１５ｃにより数値が入力され（ステップＳ１０３）、その後品種キー１５ｂが操作された場合、ＣＰＵ３３は、当該入力値に相当する登録情報を呼び出す（ステップＳ１０７）。具体的には、メモリ３４には、予め下限値や上限値等が、品種番号に紐付けられた状態で登録されている。ＣＰＵ３３は、ステップＳ１０３において、当該入力値と一致する品種番号に紐付けられた下限値や上限値等をメモリ３４から呼び出し、当該下限値等を設定する。
【００６８】
また本実施形態では、ＣＰＵ３３は、下限値等が設定されると、「通常モード」から「チェッカモード」へと動作モードを切り替えることもできる。
【００６９】
なお、メモリ３４に上記登録情報を登録する方法は限定するものではなく、種々の方法で登録することが可能である。例えば、ステップＳ１０４やステップＳ１０５で下限値や上限値が設定された状態で、テンキー１５ｃで数値（品種番号）を入力し、品種キー１５ｂを操作（長押し）することで、当該下限値や品種番号を互いに紐付けてメモリ３４に登録することも可能である。
【００７０】
以上のように、本実施形態においては、テンキー１５ｃで数値を入力し（ステップＳ１０３）、その後、目的の機能（動作モード）に応じた操作（計量皿３０に物を載せる、電源キー１５ａを操作する等）を行うことで、入力値を用いた所望の設定を容易に行うことができる（ステップＳ１０４〜ステップＳ１０７）。
【００７１】
なお、図７を用いて説明した設定方法は一例であり、当該方法に限らず、その他の方法によって上述の各設定を行うことも可能である。例えば、入力部１５の操作によってメニューを呼び出して、各設定値を個別に変更する等も可能である。また、動作モードについても、入力部１５の操作によって任意に変更することが可能である。
【００７２】
以上の如く、本実施形態に係る計量装置１は、
被計量物が載置される計量皿３０（載置部）と、
前記計量皿３０に加わる荷重を検出するロードセル１４（荷重検出手段）と、
入力操作可能な入力部１５と、
前記ロードセル１４によって検出された荷重、及び前記入力部１５によって入力された情報を取得可能なＣＰＵ３３（制御手段）と、
を具備する計量装置１であって、
前記ＣＰＵ３３は、
電源がオンされた後に、
前記入力部１５によって数値が入力される第一操作（テンキー１５ｃの操作）と、
前記第一操作の後に行われる前記第一操作とは異なる第二操作（計量皿３０に物を載せる、電源キー１５ａを操作する等）と、
が行われた場合、
前記第一操作及び前記第二操作に基づいて設定を行うものである。
このように構成することにより、各種設定の操作の容易化を図ることができる。すなわち、煩雑な操作を伴うことなく、２種類の操作（第一操作及び第二操作）のみによって簡単に設定を完了することができる。特に本実施形態においては、設定の後、当該設定に関する動作モードに自動的に切り替えられることで、その後の計量作業を速やかに行うこともできる。
【００７３】
また、前記第二操作には、
複数種類の操作が含まれ、
前記ＣＰＵ３３は、
前記第一操作において入力された数値を、前記第二操作において行われた操作の種類に応じた機能に用いる値として設定するものである。
このように構成することにより、各種設定の操作の容易化を図ることができる。すなわち、目的の機能（動作モード）に応じた第二操作（計量皿３０に物を載せる、電源キー１５ａを操作する等）を行うことで、目的に応じた所望の設定を簡単に行うことができる。
【００７４】
また、前記第二操作には、
前記計量皿３０に荷重を加える操作が含まれるものである。
このように構成することによって、各種設定の操作の容易化を図ることができる。すなわち、比較的大きく形成されている計量皿３０を用いて操作することで、小さいボタン等を用いる場合に比べて、操作を行い易くすることができる。また、被計量物を載せるための計量皿３０を操作に用いることで、ボタン（入力部１５）の数の削減も図ることができる。
【００７５】
また、前記設定には、
前記第一操作において入力された数値を前記被計量物の目標重量の下限値として設定する下限値設定（ステップＳ１０４）が含まれるものである。
このように構成することにより、目標重量の下限値を容易に設定することができる。
【００７６】
また、前記設定には、
前記第一操作において入力された数値を前記被計量物の目標重量の上限値として設定する上限値設定（ステップＳ１０５）が含まれるものである。
このように構成することにより、目標重量の上限値を容易に設定することができる。
【００７７】
また、前記設定には、
前記第一操作において入力された数値を包袋引きの値として設定する包袋引き設定（ステップＳ１０６）が含まれるものである。
このように構成することにより、包袋引きの値を容易に設定することができる。
【００７８】
また、前記設定には、
前記第一操作において入力された数値に基づいて予め登録された情報を呼び出す呼び出し設定（ステップＳ１０７）が含まれるものである。
このように構成することにより、予め登録された情報を容易に呼び出して設定することができる。
【００７９】
また、計量装置１は、
前記被計量物の重量に関する情報を表示可能な表示部１６と、
光を照射可能なＬＥＤ１８（照射手段）と、
前記ＬＥＤ１８により照射される光を、前記表示部１６の一部分にのみ案内する固定部材１９（導光部材）と、
をさらに具備するものである。
このように構成することにより、簡素な構成で表示部１６を発光させることができる。また、被計量物の重量と、ＬＥＤ１８からの光による発光の両者を、表示部１６において利用者に視認させることができる。これによって、利用者は視線を大きく変えることなく重量や発光を確認することができるため、利便性を向上させることができる。
【００８０】
また、前記導光部材は、
制御基板１７に対して前記表示部１６を固定する固定部材１９により形成されるものである。
このように構成することにより、簡素な構成で表示部１６を発光させることができる。すなわち、固定部材１９によって光を案内する部材（導光部材）も兼用することで、部品点数の削減を図ると共に、構造の簡素化を図ることができる。
【００８１】
また、前記固定部材１９は、
切り欠き部１９ａが形成された板状に形成され、前記切り欠き部１９ａによって、前記ＬＥＤ１８により照射される光を案内するものである。
このように構成することにより、簡素な構成で表示部１６を発光させることができる。
【００８２】
また、前記制御基板１７は、
前記ＬＥＤ１８により照射される光を前記表示部１６に向けて反射させる反射部１７ａを具備するものである。
このように構成することにより、表示部１６をより発光させ易くすることができる。
【００８３】
また、計量装置１は、
前記固定部材１９により案内される光を拡散させる拡散部材２０をさらに具備するものである。
このように構成することにより、表示部１６の発光のムラの発生を抑制することができる。これによって、発光部Ｌの審美性を向上させることができる。
【００８４】
なお、本実施形態に係るは、本発明に係るの実施の一形態である。
また、本実施形態に係るは、本発明に係るの実施の一形態である。
また、本実施形態に係るは、本発明に係るの実施の一形態である。
また、本実施形態に係る計量皿３０は、本発明に係る載置部の実施の一形態である。
また、本実施形態に係るロードセル１４は、本発明に係る荷重検出手段の実施の一形態である。
また、本実施形態に係るＣＰＵ３３は、本発明に係る制御手段の実施の一形態である。
また、本実施形態に係るＬＥＤ１８は、本発明に係る照射手段の実施の一形態である。
また、本実施形態に係る固定部材１９は、本発明に係る導光部材の実施の一形態である。
【００８５】
以上、本発明の実施形態を説明したが、本発明は上記構成に限定されるものではなく、特許請求の範囲に記載された発明の範囲内で種々の変更が可能である。
【００８６】
例えば、計量装置１の各部の構成（形状、大きさ等）は限定するものではなく、適宜変更することが可能である。
【００８７】
また、本実施形態において、第二操作として例示した操作（すなわち、計量皿３０に物を載せる操作、並びに電源キー１５ａ、風袋引きキー１５ｄ及び品種キー１５ｂの操作）は一例であり、任意の操作（任意のボタン等の操作）を用いることができる。例えば、テンキー１５ｃによる数値の入力（第一操作）の後、入力部１５や計量皿３０等の操作手段を操作することなく所定時間が経過した場合には、予め定められた設定（例えば、下限値の設定（ステップＳ１０４））を行うように構成することも可能である。
【００８８】
また、本実施形態においては、第一操作及び第二操作によって、下限値、上限値及び風袋引きの値の設定、並びに登録情報の呼び出しを行う例を示したが、本発明はこれに限るものではなく、その他種々の設定を行うように構成することが可能である。
【００８９】
また、本実施形態においては、ＬＥＤ１８からの光を用いて表示部１６を発光させる構成としたが、ＬＥＤ１８に限らず、その他の発光可能な部材を用いることも可能である。
【００９０】
また、本実施形態においては、制御基板１７の銅箔を露出させることで反射部１７ａを形成するものとしたが、本発明はこれに限らず、その他種々の光を反射可能な部材によって反射部１７ａを形成することが可能である。
【００９１】
また、本実施形態においては、前に設けられた表示部１６のみを発光させる（発光部Ｌを形成する）構成としたが、本発明はこれに限るものではなく、後に設けられた後方表示部２１も同様に発光させることも可能である。
【００９２】
また、本実施形態において示した動作モード（通常モードやチェッカモード）は一例であり、計量装置には、その他種々のモード（機能）を搭載することが可能である。
【符号の説明】
【００９３】
１      計量装置
１４    ロードセル
１５    入力部
１５ａ  電源キー
１５ｂ  品種キー
１５ｃ  テンキー
１５ｄ  風袋引きキー
１５ｅ  零点リセットキー
１７    制御基板
１７ａ  反射部
１８    ＬＥＤ
１９    固定部材
２０    拡散部材
３０    計量皿
３３    ＣＰＵ
【図１】
2019066341.tif 000003
【図２】
2019066341.tif 000004
【図３】
2019066341.tif 000005
【図４】
2019066341.tif 000006
【図５】
2019066341.tif 000007
【図６】
2019066341.tif 000008
【図７】
2019066341.tif 000009